(57)【要約】      （修正有）【課題】カプセル払出機周辺に、装飾、広告、或いはカプセル払出機を設置した店舗、種々のイベント等の広告、告知、宣伝表示がされる、宣伝機能、イベント告知機能又は／及び看板機能を有するカプセル払出機用装飾枠を、簡易、汎用性ある形態で提供する。【解決手段】下方が開口したコの字型の前面板と、下方が開口したコに字型の後面板と、前記前面板に貼付される模様４ｍが印刷された前表面シートと、前記後面板に貼付される模様が印刷された後表面シートと、前記前後面板の左右内側面部及び左右外側面部を折り曲げて組み合わせた上部に嵌める天板と、前記開口上部に位置して前記前後面板と連結する底板と、からなる下方が開口したコの字型の枠であって、前記枠の開口部分にカプセル払出機１２を位置させ囲むことを特徴とする。【選択図】図１
0003190511.tif 000002
【実用新案登録請求の範囲】
【請求項１】
下方が開口したコの字型の前面板と、下方が開口したコに字型の後面板と、前記前面板に貼付される模様が印刷された前表面シートと、前記後面板に貼付される模様が印刷された後表面シートと、前記前後面板の左右内側面部及び左右外側面部を折り曲げて組み合わせた上部に嵌める天板と、前記開口上部に位置して前記前後面板と連結する底板と、からなる下方が開口したコの字型の枠であって、
前記枠の開口部分にカプセル払出機を位置させ囲むことを特徴とするカプセル払出機用装飾枠。
【請求項２】
前記前後面板、天板、底板が、段ボールであって、前記前後表面シートを前後面板に貼り付けた後に組み立てられることを特徴とする請求項１に記載のカプセル払出機用装飾枠。
【請求項３】
正面上部に、カプセル内の商品を展示又はモニタを載置するためのスペースを設けたことを特徴とする請求項１又は請求項２に記載のカプセル払出機用装飾枠。
【考案の詳細な説明】
【技術分野】
【０００１】
本考案は、玩具などを収納するカプセルを払い出すカプセル払出機の側方を囲み、装飾又は／及び広告表示をし、簡易に組み立て、簡易にカプセル払出機周辺を装飾することができる、汎用性のあるイベント告知機能又は／及び看板機能を有するカプセル払出機用装飾枠に関する。
【背景技術】
【０００２】
従来のカプセル払出機は、特許文献１（図１）に示すように、カプセル払出機単体で設置されていた。カプセル払出機周辺に、装飾、広告、或いはカプセル払出機を設置した店舗、種々のイベント等の広告、告知、宣伝表示を設置することは行われていなかった。
【先行技術文献】
【特許文献】
【０００３】
【特許文献１】特願２００７−２２６３７２号公報
【考案の概要】
【考案が解決しようとする課題】
【０００４】
そこで、本考案は、カプセル払出機周辺に、装飾、広告、或いはカプセル払出機を設置した店舗、種々のイベント等の広告、告知、宣伝表示がされる、宣伝機能、イベント告知機能又は／及び看板機能を有するカプセル払出機用装飾枠を、簡易、汎用性ある形態で提供することを目的とする。
【課題を解決するための手段】
【０００５】
本考案は、上記の課題を解決するために、
（１）
下方が開口したコの字型の前面板と、下方が開口したコに字型の後面板と、前記前面板に貼付される模様が印刷された前表面シートと、前記後面板に貼付される模様が印刷された後表面シートと、前記前後面板の左右内側面部及び左右外側面部を折り曲げて組み合わせた上部に嵌める天板と、前記開口上部に位置して前記前後面板と連結する底板と、からなる下方が開口したコの字型の枠であって、
前記枠の開口部分にカプセル払出機を位置させ囲むことを特徴とするカプセル払出機用装飾枠の構成とした。
（２）
前記前後面板、天板、底板が、段ボールであって、前記前後表面シートを前後面板に貼り付けた後に組み立てられることを特徴とする（１）に記載のカプセル払出機用装飾枠の構成とした。
（３）
正面上部に、カプセル内の商品を展示又はモニタを載置するためのスペースを設けたことを特徴とする（１）又は（２）に記載のカプセル払出機用装飾枠の構成とした。
【考案の効果】
【０００６】
本考案は上記のような構成であるため、カプセル払出機周辺を、装飾し、カプセル商品、他のイベント、カプセル払出機設置者の広告等を行うことができる。段ボール製の組み立て式とすることで、組み立て、設置、撤去が容易かつ低コストで、さらに模様は前後表面シートに印刷して貼り付けるため、汎用性があり、一層低コストである。
【図面の簡単な説明】
【０００７】
【図１】本考案であるカプセル払出機用装飾枠の使用時の正面図である。
【図２】本考案であるカプセル払出機用装飾枠の斜視図である。
【図３】本考案であるカプセル払出機用装飾枠の前面枠の平面図である。
【図４】本考案であるカプセル払出機用装飾枠の後面枠の平面図である。
【図５】本考案であるカプセル払出機用装飾枠の前表面シートの平面図である。
【図６】本考案であるカプセル払出機用装飾枠の後表面シートの平面図である。
【図７】本考案であるカプセル払出機用装飾枠の各部品の平面図１である。
【図８】本考案であるカプセル払出機用装飾枠の各部品の平面図２である。
【図９】本考案であるカプセル払出機用装飾枠の正面図である。
【図１０】図９のＡ−Ａ‘断面図である。
【図１１】図９のＢ−Ｂ‘断面図である。
【図１２】図１０のＣ−Ｃ‘断面図である。
【図１３】留め具の写真である。
【考案を実施するための形態】
【０００８】
以下、添付の図面を参照し、本考案の実施の形態の一例について詳細に説明する。なお、本考案は下記実施例に限定されるものではない。
【実施例１】
【０００９】
本考案であるカプセル払出機用装飾枠１は、図１−図８に示すように、最小構成単位として、前面板２と、後面板３と、前表面シート４と、後表面シート５と、天板６と、底板７と、からなり、下方が開口１ａしたコの字型の枠である。さらに、必要に応じて、内箱部材８と、左右脚内補強部材９、９ａと、左右脚外補強部材１０、１０ａと、留め具１１とを備える。
【００１０】
そして、図１に示すように、カプセル払出機１２を開口１ａ部分にカプセル払出機１２を位置させ、カプセル払出機１２の周囲を囲み、カプセル払出機１２の周辺に装飾、広告、或いはカプセル払出機を設置した店舗、種々のイベント等の広告、告知、宣伝表示（模様４ｍ、５ｍ）がされる。本考案であるカプセル払出機用装飾枠１は、宣伝機能、イベント告知機能又は／及び看板機能を有する。
【００１１】
カプセル払出機１２は、透明なケース１２ｄに、商品を収納したカプセル１３を入れ、コイン投入口１２ａにコインを投入し、ハンドル１２ｂを回転させることで、払出口１２ｃからケース１２ｄ内部のカプセル１３を抽選して排出する装置である。一般には、ガチャガチャ（登録商標）などと呼ばれ、子供から成年まで人気がある。カプセル１３は、Ｐカップなどとも呼ばれる。カプセル１３内部には、玩具、その他種々の商品が収納されている。カプセル１３内部の玩具は、カプセルトイなどと呼ばれる。
【００１２】
前面板２は、図３に示すように、実線で示した四角形の板（例えば、積層段ボール（強化段ボール）、より具体的には三層段ボール）である。点線は後面板３側への折曲げ位置であり、必要に応じて、切れ目、ドットなどを設ける。前面板２は、第一折線位置２ｈ、２ｈの内側の正面部２ａと、正面部２ａ（第一折線位置２ｈ）の左右に位置する左外側面部２ｂ、右外側面部２ｃとからなる。
【００１３】
正面部２ａにおいて、破線は、前表面シート４を貼付した後に切断される部分である。開口位置２ｇは切断除去されることで開口１ａになり、スペース位置２ｋは切断除去されることでスペース１ｂとなる。また、左右内側面部２ｅ、２ｄと底部２ｆが分離する。
【００１４】
正面部２ａにおいて、第二折線位置２ｉより内側は、後面板３側に折り曲げることで、左右内側面部２ｅ、２ｄ、底部２ｆとなる。前面板２は、結果的に、下方が開口したコの字型となる。
【００１５】
前表面シート４を貼付した後、前面板２の破線部分を切除することで、前面板２と前表面シート４との貼り付け部分、切断部分がきれいに仕上がる。
【００１６】
一点鎖線で示した部分は、前表面シート４を貼付する前に切除される。穴２ｍは内箱部材８が嵌る部分であり、穴２ｎは天板６が嵌る部分である。
【００１７】
後面板３は、図４に示すように、実線で示した四角形の板（例えば、積層段ボール（強化段ボール）、より具体的には三層段ボール）である。点線は前面板２側への折曲げ位置であり、必要に応じて、切れ目、ドットなどを設ける。後面板３は、第一折線位置３ｈ、３ｈの内側の背面部３ａと、背面部３ａ（第一折線位置３ｈ）の右左に位置する左外側面部３ｂ、右外側面部３ｃとからなる。
【００１８】
背面部３ａにおいて、破線は、後表面シート５を貼付した後に切断される部分である。開口位置３ｇは切断除去されることで開口１ａとなり、左右内側面部３ｅ、３ｄが分離する。
【００１９】
背面部３ａにおいて、第二折線位置３ｉより内側は、前面板２側に折り曲げることで、左右内側面部３ｅ、３ｄとなる。後面板３は、結果的に、下方が開口したコの字型となる。
【００２０】
後表面シート５を貼付した後、後面板３の破線部分を切除することで、後面板３と後表面シート５との貼り付け部分、切断部分がきれいに仕上がる。
【００２１】
一点鎖線で示した部分は、後表面シート５を貼付する前に切除される。穴３ｍは内箱部材８が嵌る部分であり、穴３ｎは天板６が嵌る部分であり、穴３ｏは、底板７が嵌る部分である。穴３ｐ及び穴３ｑは留め具１１が貫通する部分である。
【００２２】
前表面シート４は、図５の実線で示すように、前面板２よりやや左右の幅が広い一枚の四角形状のシート（例えば紙、薄いプラスチック）である。点線は後面板３側への折曲げ位置である。前表面シート４は、第一折線位置４ｈ、４ｈの内側の正面部４ａと、正面部４ａ（第一折線位置４ｈ）の左右に位置する左外側面部４ｂ、右外側面部４ｃとからなる。
【００２３】
正面部４ａにおいて、破線は、前面板２に貼付された後に切断される部分である。開口位置４ｇは切断除去されることで開口１ａになり、スペース位置４ｋは切断除去されることでスペース１ｂとなる。また、左右内側面部４ｅ、４ｄと底部４ｆが分離する。また、第三切断位置４ｎは、組み立てた後に、前後表面シート４、５の重なり部分で、重ねて切断することで、つなぎ目がきれいに仕上がる。
【００２４】
正面部４ａにおいて、第二折線位置４ｉより内側は、後面板３側に折り曲げることで、左右内側面部４ｅ、４ｄ、底部４ｆとなる。前表面シート４は、結果的に、下方が開口したコの字型となる。
【００２５】
前表面シート４を貼付した後、前表面シート４の破線部分を切除することで、前面板２と前表面シート４との貼り付け部分、切断部分がきれいに仕上がる。ここでは、切除される部分（破線）以外に、模様４ｍが印刷されている。一枚のシートに印刷することで、印刷も容易かつ低コストである。後表面シート５も同様である。
【００２６】
模様４ｍとしては、絵（例えば、カプセルトイ絵、その他のキャラクタ）、店舗又は業者のロゴマーク、広告、イベント告知、その他広告等の文字、写真などがある、これらの模様４ｍ、５ｍで、カプセル払出機１２の周辺を装飾し、目立たせ、カプセル払出機の売り上げ増進効果を狙うとともに、カプセル払出機１２設置業者の広告、イベントの宣伝、告知効果を有する。後表面シートの模様５ｍも同様である。
【００２７】
カプセル払出機用装飾枠１の正面上部に、図１、２等に示すように、カプセル１３内に収納された商品を展示又は１４１４を載置するためのスペース１ｂを設け、ディスプレイ又はモニタ１４の映像で、カプセル１３内部の商品、店舗の広告、イベントの告知など、種々の情報を表示し、さらに広告機能を発揮させることができる。なお、カプセル１３内に収納された商品をスペース１ｂにディスプレイとして展示或いはモニタ１４に映像を映せば、カプセル１３は透明でなくてもよい。
【００２８】
後表面シート５は、図６に示すように、後面板３よりやや左右の幅が広い一枚の四角形状のシート（例えば紙、薄いプラスチック）である。点線は前面板２側への折曲げ位置である。後表面シート５は、第一折線位置５ｈ、５ｈの内側の正面部５ａと、正面部５ａ（第一折線位置５ｈ）の右左に位置する左外側面部５ｂ、右外側面部５ｃとからなる。
【００２９】
正面部５ａにおいて、破線は、後面板３に貼付された後に切断される部分である。開口位置５ｇは切断除去されることで開口１ａになる。また、左右内側面部５ｅ、５ｄが分離する。また、第三切断位置５ｎは、組み立てた後に、前後表面シート４、５の重なり部分で、重ねて切断することで、つなぎ目がきれいに仕上がる。
【００３０】
正面部５ａにおいて、第二折線位置５ｉより内側は、前面板２側に折り曲げることで、左右内側面部５ｅ、５ｄとなる。後表面シート５は、結果的に、下方が開口したコの字型となる。
【００３１】
天板６は、図７（ａ）に示すように、前後面板２、３を連結して形成される空間の四角形で、前面板２の穴２ｎ、後面板３の穴３ｎに相当する位置に凸部６ａが突出する。凸部６ａは、穴２ｎ、３ｎに嵌る。
【００３２】
底板７は、図７（ｂ）に示すように、六角形の一辺に凸部７ａが突出し、凸部７ａは前後面板２、３を組み立てるとき、後面板３の穴３ｏに嵌り、底板７の一面は前面板２の底部３ｆに糊などで貼り付けられ、開口１ａ上部で前後面板２、３を連結する。
【００３３】
内箱部材８は、図７（ｃ）、（ｄ）に示すように、四角形状で、折線位置８ｅで、上方が開口したコの字状に折られる底部８ａと左側面部８ｂと右側面部８ｃと、四角形状の天井部８ｇとからなり、スペース１ｂ部分を囲み、カプセル払出機用装飾枠１の形、強度を保つ。
【００３４】
底部８ａと左右側面部８ｂ、８ｃの両辺には、それぞれ、前面板２の穴２ｍ、後面板の穴３ｍに嵌る凸部８ｄが突出し、左右側面部８ｂ、８ｃには、四角形の天井部８ｇの穴８ｈを嵌める突起８ｆが突出する。
【００３５】
左右脚内補強部材９、９ａは、図７（ｅ）（ｆ）に示すように、長方形状で、一側方に偏って、縦一列に穴９ｂが穿設されている。穴９ｂに留め具１１が貫通し、後面板３と連結するとともに、前後面板２、３の接続部の開口１ａ側で、前後面板２、３を連結する。左右脚内補強部材９、９ａと前面板２とは、糊などで張り合わされ、カプセル払出機用装飾枠１の脚部の形、強度を補強する。長さは、開口１ａの底部から切切欠部１ｃの下端部ほどまである。
【００３６】
左右脚外補強部材１０、１０ａは、図８（ｇ）（ｈ）に示すように、長方形状で、一側方に偏って、縦一列に穴１０ｂが穿設されている。穴１０ｂに留め具１１が貫通し、後面板３と連結するとともに、前後面板２、３の接続部の反開口１ａ側で、前後面板２、３を連結する。左右脚外補強部材１０、１０ａと前面板２とは、糊などで張り合わされ、カプセル払出機用装飾枠１の脚部の形、強度を補強する。長さは、カプセル払出機用装飾枠１の底部から上部まである。
【００３７】
留め具１１は、図１３に示すように、挿通部材１１ａと、押さえ部材１１ｆとからなる。
挿通部材１１ａは、後面板３の左右外側面部３ｂ、３ｃの穴３ｐと左右脚内補強部材９、９ａの穴９ｂ、及び左右内側面部３ｄ、３ｅの穴３ｑと左右脚外補強部材１０、１０ａの穴１０ｂに挿通するとともに内側にＬ字状の溝１１ｅがきられた筒状の軸１１ｂと、軸１１ｂの端部に屈曲して接続するとともに後面板３に係止される鍔１１ｃと、軸１１ｂの他端部に可撓性部を介して接続する返し１１ｄとからなる。
【００３８】
押さえ部材１１ｆは、軸１１ｂ内に挿入される筒部１１ｇと、筒部１１ｇの端部に接続し返し１１ｄを外に屈曲させる略円形の底部１１ｈと、筒部１１ｇの外周に突出した突起１１ｉと、筒部１１ｇ内部に渡された棒状のツマミ１１ｋとからなる。
【００３９】
軸１１ｂを穴３ｐ、３ｑ及び穴９ｂ、１０ｂに挿通したのち、押さえ部材１１ｆを軸１１ｂ内に押し込み、回転することで、突起１１ｉが溝１１ｅに係止されるとともに、返し１１ｄが屈曲して、後面板３に係止され、後面板３と各補強部材を連結する。各補強部材と前面板２は糊などで貼り合わせ、カプセル払出機用装飾枠１の形及び強度を保つ。
【００４０】
前面板２、後面板３、天板６及び底板７は、望ましく段ボール製で、さらに好ましくは三層段ボールで高い強度のものを使用する。さらに、左右脚内補強部材９、９ａ及び左右脚外補強部材１０、１０ａも、同様に段ボール製とすると低コストでよい。さらに三層とすると強度も確保できよい。加えて、前後表面シート４、５は、一枚のシート（例えば紙製）に印刷され、前後板２、３に糊、テープ、シールなどで貼り付けると一層低コストとなる。前後面板２、３に前後表面シート４、５を貼り付けた後に、不溶な部分を切断除去すると、加工が容易で、きれいに仕上がる。
【００４１】
以下、カプセル払出機用装飾枠１の組み立て方法について説明する。各部材は、図９−１２に示すように、組み立てられている。ここでは、前後表面シート４、５及び留め具１１以外の部品は、三層段ボールを用いた。
【００４２】
（１）前面板２の準備
三層段ボールを準備し、穴２ｍ、穴２ｎを所定の位置に穿設する。第一折線位置２ｈ、第二折線位置２ｉの折れ曲げ方向の内側（図３の裏面側）に、上から下まで、９０°のＶ字状に切り取る。折れ曲げやすくするためである。
【００４３】
（２）後面板３の準備
三層段ボールを準備し、穴３ｍ、穴３ｎ、穴３ｏ、穴３ｐ、穴３ｑを所定の位置に穿設する。第一折線位置３ｈ、第二折線位置３ｉの折れ曲げ方向の内側（図４の裏面側）に、上から下まで、９０°のＶ字状に切り取る。折れ曲げやすくするためである。なお、カプセル払出機用装飾枠１の背面が、壁などで見えないときは、後表面シート５を貼付した後にそれら穴を後表面シート５とともに穿設してもよい。貼付した後に各穴を穿設することで、後表面シート５の貼り付けがラフでもよく、仕上がりがきれいになる。
【００４４】
（３）前後表面シート４、５の準備
所望の模様４ｍ、５ｍを一枚の紙製シートに印刷する。切除される部分、開口位置４ｇ、５ｇ、スペース位置４ｋには模様４ｍ、５ｍ印刷する必要はない。少なくとも切除位置を認識できるようにする。白地と模様の境界が分かるよう印刷する、或いは切除ラインなどを印刷する。
【００４５】
（４）その他部材の準備
天板６、底板７、内箱部材８、左右内補強部材９、９ａ、左右外補強部材１０、１０ａ、留め具１１を準備する。内箱部材８は、左右側面部８ｂ、８ｃを折線位置８ｅで折り曲げ、天井部８ｇの穴８ｈを内箱部材８の突起８ｆに嵌め、組み立ててなる。
【００４６】
（５）前後面板２、３と前後表面シート４、５貼り合わせ
前後面板２、３に、前後表面シート４、５をそれぞれ糊で貼り合わせる。
【００４７】
（６）切り込み及び不要部分の切除
・貼り合わせた前面板２及び前表面シート４
前表面シート４のスペース位置４ｋの破線部で切除し、スペース１ｂの開口部を形成する。開口位置４ｇの破線部で切除し、開口１ａを形成する。また、第二折線位置４ｉの角と開口位置４ｇの角を結ぶ破線部をカットし、左右内側面部４ｄ、４ｄと底部４ｆを切り離す。
・張り合わせた後面板３及び後表面シート５
後表面シート５の開口位置５ｇの破線部で切除し、開口１ａを形成する。
【００４８】
（７）組み立て
前後面板２、３の間に天板６、内箱部材８、底板７を配置する。天板６の凸部６ａは、前後面板２、３の穴２ｎ、３ｎに嵌められる。内箱部材８の凸部８ｄは、前後面板２、３の穴２ｍ、３ｍに嵌められる。底板７の凸部７ａは、後面板３の穴３ｏに嵌められる。
底板７と前面板２の底部４ｆを糊で貼り合わせる。
後面板３の穴３ｑの位置で、左右脚内補強部材９、９ａを留め具１１で固定する。このとき、後面板３の穴３ｑに相当する位置の後表面シート５に穴を開けてもよいし、後表面シート５を貼付した後に穴３ｑを穿設して、後表面シート５の穴も形成してもよい。
左右脚内補強部９、９ａを固定した左右内側面部３ｄ、３ｅを折り曲げ、続いて左右内側面部２ｅ、２ｄを折り曲げ前後面板２、３の端部を接続し、左右内側面部２ｅ、２ｄと左右脚内補強部９、９ａを糊で張り合わせ、連結する。
後面板３の穴３ｐの位置で、左右脚外補強部材１０、１０ａを留め具１１で固定する。このとき、後面板３の穴３ｐに相当する位置の後表面シート５に穴を開けてもよいし、後表面シート５を貼付した後に穴３ｐを穿設して、後表面シート５の穴も形成してもよい。
左右脚外補強部１０、１０ａを固定した左右外側面部３ｂ、３ｃを折り曲げ、続いて左右外側面部２ｂ、２ｃを折り曲げ前後面板２、３の端部を接続し、左右外側面部２ｂ、２ｃと左右脚外補強部１０、１０ａを糊で張り合わせ、連結する。
次に、前後表面シート４、５の重なり部分である、破線の第三切除位置４ｎ、５ｎをカットする。模様４ｍ、５ｍは繋がり、継ぎ目がきれいに仕上がる。
これで、カプセル払出機用装飾枠１の組み立てが完成し、所望場所に設置したカプセル払出機１２を開口１ａに位置させ、カプセル払出機１２を囲むように設置する。
【００４９】
なお、広告、イベント毎に前後表面シート４、５を作成すればよく、段ボール製の前後面板２、３は、汎用性ある。
また、カプセル払出機用装飾枠１は段ボール、紙製であるので、カプセル払出機１２を撤去するときに、カプセル払出機用装飾枠１も撤去して、切断、焼却、或いは留め具１１を取り外し再生利用することができる。
上述のように、本考案であるカプセル払出機用装飾枠１は、汎用性があり、簡単に組み立て、撤収及び処分することができ、極めて経済的である。
【符号の説明】
【００５０】
１      カプセル払出機用装飾枠
１ａ    開口
１ｂ    スペース
２      前面板
２ａ    正面部
２ｂ    左外側面部
２ｃ    右外側面部
２ｄ    左内側面部
２ｅ    右内側面部
２ｆ    底部
２ｇ    開口位置
２ｈ    第一折線位置
２ｉ    第二折線位置
２ｋ    スペース位置
２ｍ    穴
２ｎ    穴
３      後面板
３ａ    背面部
３ｂ    左外側面部
３ｃ    右外側面部
３ｄ    左内側面部
３ｅ    右内側面部
３ｇ    開口位置
３ｈ    第一折線位置
３ｉ    第二折線位置
３ｍ    穴
３ｎ    穴
３ｏ    穴
３ｐ    穴
３ｑ    穴
４      前表面シート
４ａ    正面部
４ｂ    左外側面部
４ｃ    右外側面部
４ｄ    左内側面部
４ｅ    右内側面部
４ｆ    底部
４ｇ    開口位置
４ｈ    第一折線位置
４ｉ    第二折線位置
４ｋ    スペース位置
４ｍ    模様
４ｎ    第三切断位置
５      後表面シート
５ａ    正面部
５ｂ    左外側面部
５ｃ    右外側面部
５ｄ    左内側面部
５ｅ    右内側面部
５ｇ    開口位置
５ｈ    第一折線位置
５ｉ    第二折線位置
５ｍ    模様
５ｎ    第三切断位置
６      天板
６ａ    凸部
７      底板
７ａ    凸部
８      内箱部材
８ａ    底部
８ｂ    左側面部
８ｃ    右側面部
８ｄ    凸部
８ｅ    折線位置
８ｆ    突起
８ｇ    天井部
８ｈ    穴
９      左脚内補強部材
９ａ    右脚内補強部材
９ｂ    穴  
１０    左脚外補強部材
１０ａ  右脚外補強部材
１０ｂ  穴
１１    留め具
１１ａ  挿通部材
１１ｂ  軸
１１ｃ  鍔
１１ｄ  返し
１１ｅ  溝
１１ｆ  押さえ部材
１１ｇ  筒部
１１ｈ  底部
１１ｉ  突起
１１ｋ  ツマミ
１２    カプセル払出機
１２ａ  コイン投入口
１２ｂ  ハンドル
１２ｃ  払出口
１２ｄ  ケース
１３    カプセル
１４    モニタ
【図１】
0003190511.tif 000003
【図２】
0003190511.tif 000004
【図３】
0003190511.tif 000005
【図４】
0003190511.tif 000006
【図５】
0003190511.tif 000007
【図６】
0003190511.tif 000008
【図７】
0003190511.tif 000009
【図８】
0003190511.tif 000010
【図９】
0003190511.tif 000011
【図１０】
0003190511.tif 000012
【図１１】
0003190511.tif 000013
【図１２】
0003190511.tif 000014
【図１３】
0003190511.tif 000015